(57)【特許請求の範囲】
【請求項１】
作業者の作業服または靴、帽子などの服飾品と、作業者の管理区域内への立ち入りを可又は不可とする扉とからなり、
前記服飾品は認証装置を取付け、前記服飾品の止め具に前記認証装置のスイッチ機構を取付け、前記服飾品の止め具を正しく使用して着用した時に前記スイッチ機構が閉となって前記認証装置が有効となり、前記服飾品の止め具を正しく使用しないで着用した時に前記スイッチ機構が開となって前記認証装置が無効となり、
前記認証装置が有効で、かつ、前記認証装置の認証が正常に行われたときに前記扉が開となり、前記作業者の管理区域への立ち入りが可能となることを特徴とする管理区域入室認証システム。
【請求項２】
請求項１記載の管理区域制限システムにおいて、
前記服飾品は複数の止め具を有し、前記複数の止め具にそれぞれ前記スイッチ機構を取付け、かつ、その配線が直列であることを特徴とする管理区域入室認証システム。
【請求項３】
請求項１又は２に記載の管理区域制限システムにおいて、
前記認証装置はＲＦＩＤタグを有しており、認証時に前記ＲＦＩＤのデータの読み出しが行われることを特徴とする管理区域入室認証システム。
【発明の詳細な説明】
【技術分野】
【０００１】
本発明は、管理区域入室認証システム及び服飾品に関し、特に入退室管理における認証システムに係る。
【背景技術】
【０００２】
従来から管理区域の入室の際、ＩＤカードや暗証番号入力などのみによる認証機構はあった（特許文献１参照）が、作業服を正しく着用したことを認識はできなかった。
【特許文献１】特開平１１−３１２２２４号公報
【発明の開示】
【発明が解決しようとする課題】
【０００３】
クリーンルームなどの管理区域では防塵服など専用の作業服の着用が求められる場合があるが、そのような着衣は正しく着用しなければ効果が低減する。
【０００４】
そこで、本発明は、これらを正しく着用した場合のみ管理区域に入場することができるようにし、管理性を向上させた管理区域入室認証システム及び服飾品を提供することを目的とする。
【課題を解決するための手段】
【０００５】
上記課題を解決するために、本発明は、作業者の作業服または靴、帽子などの服飾品と、作業者の管理区域内への立ち入りを可又は不可とする扉とからなり、前記服飾品は認証装置を取付け、前記服飾品の止め具に前記認証装置のスイッチ機構を取付け、前記服飾品の止め具を正しく使用して着用した時に前記スイッチ機構が閉となって前記認証装置が有効となり、前記服飾品の止め具を正しく使用しないで着用した時に前記スイッチ機構が開となって前記認証装置が無効となり、前記認証装置が有効で、かつ、前記認証装置の認証が正常であるときに前記扉が開となり、前記作業者の管理区域への立ち入りが可能となる管理区域入室認証システムである。
【０００６】
また、本発明は、前記服飾品は複数の止め具を有し、前記複数の止め具にそれぞれ前記スイッチ機構を取付け、かつ、その配線が直列である管理区域入室認証システムである。
【０００７】
そして、本発明は、前記認証装置はＲＦＩＤタグを有しており、認証時に前記ＲＦＩＤのデータの読み出しが行われる管理区域入室認証システムである。
【発明の効果】
【０００９】
本発明により、管理区域へ入室の際の専用作業服の着用を確実に管理できる管理区域入室認証システム及び服飾品を提供することができる。
【発明を実施するための最良の形態】
【００１０】
本実施例の管理区域入室認証システムは、作業者の作業服または靴、帽子などの服飾品と、作業者の管理区域内への立ち入りを可又は不可とする扉とからなり、前記服飾品は認証装置を取付け、前記服飾品の止め具に前記認証装置のスイッチ機構を取付け、前記服飾品の止め具を正しく使用して着用した時に前記スイッチ機構が閉となって前記認証装置が有効となり、前記服飾品の止め具を正しく使用しないで着用した時に前記スイッチ機構が開となって前記認証装置が無効となり、前記認証装置が有効で、かつ、前記認証装置の認証が正常に行われたときに前記扉が開となり、前記作業者の管理区域への立ち入りが可能となる。
また、本実施例の管理区域入室認証システムは、前記服飾品は複数の止め具を有し、前記複数の止め具にそれぞれ前記スイッチ機構を取付け、かつ、その配線が直列である管理区域入室認証システムである。
そして、本実施例の管理区域入室認証システムは、前記認証装置はＲＦＩＤタグを有しており、認証時に前記ＲＦＩＤのデータの読み出しが行われる。
更に、本実施例の管理区域入室認証システムに用いる服飾品は、作業者の作業服または靴、帽子などの止め具を有する服飾品であって、認証装置を取付けるとともに、前記止め具に前記認証装置のスイッチ機構を取付け、前記止め具を正しく使用して着用した時に前記スイッチ機構が閉となって前記認証装置が有効となり、前記止め具を正しく使用しないで着用した時に前記スイッチ機構が開となって前記認証装置が無効となる。
本発明を実施するための最良の形態について、図面を用いて説明する。本発明の管理区域入室認証システム及び服飾品の実施例について、図面を用いて説明する。
【実施例】
【００１１】
以下、本発明の実施例を図１〜２により説明する。図１は実施例の管理区域入室認証システムの概略図である。図２は実施例における止め具にスイッチ機構を具えた作業服の概略図である。
【００１２】
本実施例の管理区域入室認証システムは、送信側認証装置２を取付けた作業服と、受信側認証装置３を有する管理区域扉４とからなる。作業服は、図２に示すように、送信側認証装置２を取付けており、作業者１が着用する。作業服は上下に分かれており、作業服（上）と作業服（下）を止め具により止めると、止め具に取付けたスイッチ機構６が閉状態となる。同様に、作業服（上）と作業帽、作業服（上）と作業手袋、作業服（下）と作業靴とを止め具により止めるとスイッチ機構７が閉状態となる。作業服などに取付けたスイッチ機構６、７は、すべて配線５で直列に接続されており、これらすべてが正しく着用した場合にのみ配線５で接続されている認証装置２が有効となる。正しく着用して認証装置２が有効となった作業者１が管理区域扉４の前に来ると、認証装置３は、作業者１の有効な認証装置２を認識して認証を行い、扉４が入場可能の状態となり管理区域へ入場できる。認証装置２、３は、例えばＲＦＩＤタグ及びその読取部材を使用し、ＲＦＩＤタグのデータの読み出しを行い、認証する方式とすることができる。
本実施例における服飾品として、作業服（上下）、靴、帽子、手袋などを使用することができる。
【００１３】
一方、作業者１が正しく着用しない場合は、スイッチ機構６、７の一部でも開状態となっていると、配線５で接続されている認証装置２が無効となる。したがって、認証装置３による認証できず、扉４が入場不可の状態となり管理区域へ入場できない。
【００１４】
なお、止め具を複数有する服飾品のそれぞれの止め具にスイッチ機構を取付け、そして、配線を直列とすることにより、すべての止め具を正しく止めたときに認証装置が有効となるようにすることができる。
【図面の簡単な説明】
【００１５】
【図１】実施例の管理区域入室認証システムの概略図である。
【図２】実施例における止め具に認証機構のスイッチ機構を兼ね備える作業服の概略図である。
【符号の説明】
【００１６】
１・・・作業者
２・・・認証装置（送信側）
３・・・認証装置（受信側）
４・・・管理区域扉
５・・・配線
６・・・止め具のスイッチ
７・・・止め具のスイッチ
【図１】
0005026166.tif 000002
【図２】
0005026166.tif 000003